【手続補正書】
【提出日】平成15年5月12日(2003.5.12)
【手続補正１】
【補正対象書類名】明細書
【補正対象項目名】特許請求の範囲
【補正方法】変更
【補正の内容】
【特許請求の範囲】
【請求項１】
読取り装置へと挿入されるように構成されるインタフェースカードを読む読取り装置であって、前記カードが表面に形成される印と外部装置と通信するためにデータを格納するメモリとを具備し、
前記読取り装置に前記インタフェースカードを受け入れると前記カードに重なるように配置されるほぼ透明な感圧膜と、
前記カードに割り当てられているサービス識別子と、ユーザにより選択される印に関連するデータの特定の部分ととの両方を所定のフォーマットで前記外部装置に送信する中央処理装置とを具備し、前記外部装置は前記データを受信すると前記サービス識別子により識別されるサービスを提供する読取り装置。
【請求項２】
アプリケーションにより使用されるようにサービス識別子がベンダにより設定される請求項１記載の読取り装置。
【請求項３】
前記サービス識別子は中央機関により前記ベンダに割り当てられる請求項２記載の読取り装置。
【請求項４】
前記中央処理装置は前記読取り装置から読まれる読取り装置識別子を前記外部装置に送信する請求項１記載の読取り装置。
【請求項５】
前記中央処理装置は、前記カードが前記読取り装置へと挿入されると挿入メッセージを前記外部装置に送信する請求項１記載の読取り装置。
【請求項６】
前記中央処理装置は、前記カードが前記読取り装置から抜き取られると抜取りメッセージを前記外部装置に送信する請求項１記載の読取り装置。
【請求項７】
前記中央処理装置は、前記印のうちの少なくとも１つが前記感圧膜を介して押下されると押下メッセージを前記外部装置に送信する請求項１記載の読取り装置。
【請求項８】
前記中央処理装置は、前記押下される印のうちの少なくとも１つの押下が解除されると押下解除メッセージを前記外部装置に送信する請求項１記載の読取り装置。
【請求項９】
前記中央処理装置は、押下が解除されることなく押下位置が移動すると移動メッセージを送信する請求項１記載の読取り装置。
【請求項１０】
前記中央処理装置は、前記不正なカードが前記読取り装置へと挿入されると不良カードメッセージを送信する請求項１記載の読取り装置。
【請求項１１】
前記中央処理装置は、前記読取り装置に電力を供給するバッテリの充電レベルが所定の閾値に到達するとバッテリ低下メッセージを送信する請求項１記載の読取り装置。
【請求項１２】
前記感圧膜上のユーザ押下位置が前記読取り装置に送信される請求項１記載の読取り装置。
【請求項１３】
ベンダにより提供されたアプリケーションにより座標が計算される請求項１２記載の読取り装置。
【請求項１４】
前記カードは前記サービス識別子及び前記データをメモリチップに格納する請求項１記載の読取り装置。
【請求項１５】
前記外部装置はセットトップボックスである請求項１記載の読取り装置。
【請求項１６】
前記外部装置はパーソナルコンピュータである請求項１記載の読取り装置。
【請求項１７】
基板とその上に形成される印とを具備するインタフェースカードを受け入れるレセプタクルを有する読取り装置において実行されるプログラムにおいて、
前記カードに割り当てられているサービス識別子と、前記カードのメモリ内に格納され、ユーザにより選択される印に関連するデータの特定の部分との両方を所定のフォーマットで読み出すコードと、
前記サービス識別子と前記特定のデータとを外部装置に送信し、それにより、前記サービス識別子により識別されるサービスを前記外部装置により提供するコードとを具備するプログラム。
【請求項１８】
前記プログラムは、前記読取り装置中のコンピュータ可読な媒体上に格納される請求項１７記載のプログラム。
【請求項１９】
印が形成された基板を具備するインタフェースカードを受け入れるレセプタクルを有する読取り装置のためのデータ処理方法において、
前記カードに割り当てられているサービス識別子と前記カードのメモリ内に格納され、ユーザにより選択される印に関連するデータの特定の部分との両方を所定のフォーマットでを読み出す過程と、
前記サービス識別子と前記特定のデータの両方を外部装置に送信し、それにより、前記サービス識別子により識別されるサービスを前記外部装置により提供する過程とから成るデータ処理方法。
【請求項２０】
表面に形成される印とデータを格納するメモリとを具備するインタフェースカードを読む読取り装置であって、前記カードが前記読取り装置へと挿入されるように構成され、
前記カードに割り当てられているサービス識別子と前記カードに格納され、ユーザにより選択される印に関連するデータの特定の部分との両方を所定のフォーマットで読み出す読出し手段と、
前記サービス識別子と、前記データとの両方を外部装置に送信する送信手段とを具備し、前記外部装置は前記サービス識別子により識別されるサービスを提供する読取り装置。
【請求項２１】
挿入されるように構成され、少なくとも印が形成された基板を具備するインタフェースカードと前記インタフェースカードを受け入れるレセプタクルを具備する読取り装置とを具備するカードインタフェースシステムにおいて、
サービス識別子とユーザにより選択される印に関連するデータとの両方を格納する前記カード上のメモリと、
前記カードに割り当てられた前記サービス識別子と前記データとの両方を所定のフォーマットで前記外部装置に送信する、前記読取り装置内に一体的に形成される中央処理装置とを具備し、前記カードのユーザは前記サービス識別子により識別されるサービスを外部装置から受ける、カードインタフェースシステム。
【請求項２２】
データ制御機器を制御するために表面に形成された少なくとも１つの印とデータを格納する電子メモリとを有する電子カードを読む電子カードリーダにおいて、
前記リーダのユーザにより押下可能に構成される上面を有するほぼ透明な感圧膜と、
前記電子カードを受け入れるように形作られるレセプタクルであって、受け入れられる前記電子カード及び前記印が前記感圧膜を介して見ることができるレセプタクルと、
前記印のうちの特定の１つと関連付けられる前記膜の押下に従って前記メモリから前記データの特定の部分を読み出すために前記膜に結合された電子回路であって、前記特定のデータの受信により制御される機能を提供する前記データ制御機器に、前記カードに割り当てられたサービス識別子と前記特定のデータの両方を所定のフォーマットで送信する電子回路とを具備し、前記機能は前記サービス識別子と関連付けられる電子カードリーダ。
【請求項２３】
インタフェースカードのための読取り装置であって、前記データが少なくとも１つの印が形成された基板を具備し、
前記インタフェースカードを受け入れるように形作られるレセプタクルと、
前記レセプタクルに前記インタフェースカードを受け入れたときに前記インタフェースカードに重なるように配置され、これを介して前記印を見ることができるほぼ透明な感圧膜と、
前記インタフェースカードのメモリコンポーネントに結合し、前記膜を介して前記読取り装置のユーザにより選択される前記印のうちの１つに関連するデータを読み出す電子回路とを具備し、前記電子回路は前記カードに割り当てられているサービス識別子と前記データの両方を所定のフォーマットで外部装置に送信するように構成され、それにより、前記外部装置は前記サービス識別子と関連付けられるサービスを提供する読取り装置。
【請求項２４】
基板とその上に形成される印とを具備するインタフェースカードを受け入れるレセプタクルを有する読取り装置において、
カードユーザが前記押下された印に従って前記サービス識別子により識別されるサービスを受けるために、前記読取り装置へと挿入された前記カードの有効性を判定し、サービス識別子とユーザにより押下される印に関連するデータとを外部装置に送信する中央処理装置を具備する読取り装置。
【請求項２５】
前記サービスは前記外部装置において実行されるアプリケーションにより識別される請求項２４記載の読取り装置。
【請求項２６】
基板とその上に形成される印とを具備する取外し可能なインタフェースカードに重なるように配置されるほぼ透明な感圧膜を有する読取り装置において、
カードユーザが前記押下された印に従って前記サービス識別子により識別されるサービスを受けるために、前記読取り装置へと挿入された前記カードの有効性を判定し、サービス識別子と、前記印を選択するために前記感圧膜上で押下されるユーザ押下座標とを外部装置に送信する中央処理装置を具備する読取り装置。
【請求項２７】
前記サービスは前記外部装置において実行されるアプリケーションにより識別される請求項２６記載の読取り装置。
【請求項２８】
基板とその上に形成される印とを具備する取外し可能なインタフェースカードに重なるように配置されるほぼ透明な感圧膜を有する読取り装置において、
カードユーザが前記押下された印に従って前記サービス識別子により識別されるサービスを受信するために、前記カードに格納される識別子を区別し、前記区別の結果に基づいて、サービス識別子及び前記印を選択するために前記感圧膜上で押下されるユーザ押下座標、あるいは、サービス識別子を外部装置に送信する中央処理装置を具備する読取り装置。
【請求項２９】
前記サービスは前記外部装置において実行されるアプリケーションにより識別される請求項２８記載の読取り装置。
【請求項３０】
基板とその上に形成される印とを具備する取外し可能なインタフェースカードに重なるように配置されるほぼ透明な感圧膜を有する読取り装置において、
前記感圧膜上のユーザ押下接触を検知し、前記ユーザ押下接触の接触座標を外部装置に送信する中央処理装置を具備し、前記接触座標はカーソル情報として使用される読取り装置。
【請求項３１】
インタフェースカードを受け入れるレセプタクルを有する読取り装置において、
前記カードが前記読取り装置において実行可能な機能に影響する情報を読み出し、前記情報に基づいて前記機能を実行する中央処理装置を具備する読取り装置。
【請求項３２】
インタフェースカードを受け入れるレセプタクルを有する読取り装置において、
外部装置に挿入されるカードの有効性を判定するために、カード挿入の現在のセッションを識別し、前記カードが前記読取り装置へと挿入されるたびに増分される数値であるセッション識別子を生成し、前記セッション識別子を前記外部装置に送信する中央処理装置を具備する読取り装置。
【請求項３３】
挿入されるように構成されるユーザインタフェースカードを読む読取り装置であって、前記カードが表面に形成される複数の印と識別されるサービスを提供するために外部装置と通信するサービス識別子を格納するメモリとを具備し、
前記カードを受け入れ、前記読取り装置に前記カードを受け入れると前記複数の印の可視性を提供するレセプタクルと、
ユーザが前記複数の可視の印のうちの少なくとも１つを選択できるようにする選択メカニズムと、
前記選択メカニズムに結合され、前記ユーザにより選択される印に関連するデータを生成し、前記サービス識別子を前記メモリから読み出す中央処理装置と、
前記印に関連するデータと前記サービス識別子とを前記外部装置に送信する送信装置とを具備し、前記外部装置は前記データ及びサービス識別子を受信すると前記サービス識別子及び前記データにより識別されるサービスを提供する読取り装置。
【請求項３４】
前記ユーザにより選択される印に関連するデータの生成は、前記メモリに予め格納される前記選択される印と関連付けられるデータを読み出すことを含む請求項３３記載の読取り装置。
【請求項３５】
挿入されるように構成されるユーザインタフェースカードを読む読取り装置であって、前記カードが表面に形成される複数の印を具備し、
前記カードを受け入れ、前記読取り装置に前記カードを受け入れると前記複数の印の可視性を提供するレセプタクルと、
ユーザが前記複数の可視の印のうちの少なくとも１つを選択できるようにする選択メカニズムと、
前記選択メカニズムに結合され、前記ユーザにより選択される印に関連するデータを生成し、サービスを提供するために外部装置と通信するサービス識別子を前記カードのメモリから読み出す中央処理装置と、
前記印に関連するデータと前記サービス識別子とを前記外部装置に送信する送信装置とを具備し、前記外部装置は前記データ及びサービス識別子を受信すると前記サービス識別子及び前記データにより識別されるサービスを提供する読取り装置。
【請求項３６】
前記ユーザにより選択される印に関連するデータの生成は、前記メモリに予め格納される前記選択される印と関連付けられるデータを読み出すことを含む請求項３５記載の読取り装置。